(57)【要約】      （修正有）【課題】清潔な状態を簡便に保持することを可能とするカーテンを提供する。【解決手段】カーテン１は、紙製のシート３０と、カーテンレールに係合可能であると共に、シートを吊り下げ可能な吊り下げ部とを備える。吊り下げ部はフック部１０ｂ及び保持部を有する。フック部はカーテンレール４０の可動リング４１に引っ掛かる。保持部はシートを固定することによってシートを保持可能である。シートは複数の孔３０ａを有する。保持部は第１部材１０と第２部材２０とを備える。第１部材は、複数の孔を夫々通過可能な複数の凸部を有すると共にフック部と結合する。第２部材は複数の凸部と夫々連結可能な複数の凹部を有する。保持部は、複数の凸部にシートの複数の孔を夫々通過させた後、複数の凸部と複数の凹部とを夫々連結させることによって、シートを固定する。【選択図】図１
0003165315.tif 000002
【実用新案登録請求の範囲】
【請求項１】
紙製のシートと、
カーテンレールに係合可能であると共に、前記シートを吊り下げ可能な吊り下げ部と
を備えることを特徴とするカーテン。
【請求項２】
前記吊り下げ部は、前記カーテンレールの可動リングに引っ掛かるフック部、及び、前記シートを固定することによって前記シートを保持可能な保持部を有することを特徴とする請求項１に記載のカーテン。
【請求項３】
前記シートは、当該シートを前記保持部に固定させるための複数の孔を有し、
前記保持部は、
前記複数の孔を夫々通過可能な複数の凸部を有すると共に前記フック部と結合した第１部材と、
前記複数の凸部と夫々連結可能な複数の凹部を有する第２部材と
を備え、
前記保持部は、前記複数の凸部に前記シートの前記複数の孔を夫々通過させた後、前記複数の凸部と前記複数の凹部とを夫々連結させることによって、前記シートを固定することを特徴とする請求項２に記載のカーテン。
【請求項４】
前記吊り下げ部は、前記カーテンレールとして、第１カーテンレール又は前記第１カーテンレールに横に並んで設けられる第２カーテンレールに係合可能であり、
前記シートの法線方向に沿った前記保持部の厚さは、前記第１カーテンレールと前記第２カーテンレールとの間隔より小さいことを特徴とする請求項２又は３に記載のカーテン。
【考案の詳細な説明】
【技術分野】
【０００１】
本考案は、例えば紙製のカーテン等のカーテンの技術分野に関する。
【背景技術】
【０００２】
この種のカーテンとして、例えば特許文献１等では、紙製の日除けカーテンに関する技術が開示されている。また、この種のカーテンとして、例えば特許文献２等では、両面粘着テープを用いたカーテンに関する技術が開示されている。
【先行技術文献】
【特許文献】
【０００３】
【特許文献１】特開２００７−１３０２７９号公報
【特許文献２】実用新案登録第３０３９６７５号公報
【特許文献３】特開２００８−４８９２５号公報
【特許文献４】実開平６−３５５８１号公報
【特許文献５】実開平５−８４２８０号公報
【考案の概要】
【考案が解決しようとする課題】
【０００４】
しかしながら、上述した特許文献１等によれば、カーテンの紙製のシートを交換する場合、カーテン全体を交換する必要があり、カーテンを清潔に保つための手間と費用が掛かってしまうという技術的な問題点が生じる。
【０００５】
本考案は、例えば上述した問題点に鑑みなされたものであり、清潔な状態を簡便に保持することが可能なカーテンを提供することを課題とする。
【課題を解決するための手段】
【０００６】
上記課題を解決するために、本考案に係るカーテンは、紙製のシートと、カーテンレールに係合可能であると共に、前記シートを吊り下げ可能な吊り下げ部とを備える。
本考案に係るカーテンによれば、吊り下げ部は、カーテンレールに係合可能であると共に、紙製のシートを吊り下げ可能である。ここに、本考案に係る「カーテンレールに係合」するとは、典型的には、カーテンレールの可動リングに引っ掛かるフックを用いて可動状態で係合することを意味する。これにより、紙製のシートが吊り下げられた状態と紙製のシートが吊り下げられない状態とを切り替えることにより、紙製のシートを交換することができる。
【０００７】
本考案に係るカーテンの一態様は、前記吊り下げ部は、前記カーテンレールの可動リングに引っ掛かるフック部、及び、前記シートを固定することによって前記シートを保持可能な保持部を有する。
ここに、本考案に係る「固定する」とは、典型的には、紙製のシートに設けられた孔に支持体を通すことによって紙製のシートを固定することを意味してよいし、弾性体の弾性力を用いた挟む力によって紙製のシートを固定することを意味してよい。
この態様によれば、紙製のシートが固定され保持された状態と紙製のシートが固定されず保持されない状態とを切り替えることにより、紙製のシートを交換することができる。
【０００８】
本考案の保持部に係る態様では、前記シートは、当該シートを前記保持部に固定させるための複数の孔を有し、前記保持部は、前記複数の孔を夫々通過可能な複数の凸部を有すると共に前記フック部と結合した第１部材と、前記複数の凸部と夫々連結可能な複数の凹部を有する第２部材とを備え、前記保持部は、前記複数の凸部に前記シートの前記複数の孔を夫々通過させた後、前記複数の凸部と前記複数の凹部とを夫々連結させることによって、前記シートを固定するように構成してよい。
このように構成すれば、第１部材の複数の凸部と、第２部材の複数の凹部とを夫々連結させた状態と、第１部材の複数の凸部と、第２部材の複数の凹部とを夫々連結させない状態とを切り替えることにより、紙製のシートを簡便に交換することができる。
【０００９】
本考案の保持部に係る態様では、前記吊り下げ部は、前記カーテンレールとして、第１カーテンレール又は前記第１カーテンレールに横に並んで設けられる第２カーテンレールに係合可能であり、前記シートの法線方向に沿った前記保持部の厚さは、前記第１カーテンレールと前記第２カーテンレールとの間隔より小さいように構成してよい。
このように構成すれば、本考案に係る２つのカーテン、即ち、一及び他のカーテンを、第１カーテンレール及び第２カーテンレールに夫々係合した場合に、第１カーテンレールに沿った一のカーテンの移動を妨げることなく、他のカーテンを第２カーテンレールに沿って移動させることができる。
【考案の効果】
【００１０】
上述したように、紙製のカーテンであるので使い捨てが可能である。具体的には、カーテンを何枚も洗濯する繁雑さをなくし、且つ、布製のカーテンを紙に置き換えることにより、窓付近を清潔に保つことができる。特に、カーテンを廃棄する場合と比較して、紙の廃棄は環境保護にも配慮できる。
カーテンレールのみを有する洋間であっても障子紙のように、カーテンを用いることができる。障子板と比べて、糊付けされた紙を張り替える繁雑さを無くし、紙の張り替えを簡便にすることができる。
布製のカーテンと比べて、清潔に保つための繁雑さを排除し、カーテンの清潔性を保つための管理を簡素化することができる。具体的には、布製のカーテンを取り替える場合と比較して、経済的に安価、且つ、簡便に紙製シートを取り替えることができる。
上述した紙製のカーテンにより、布製のカーテンの手入れと、障子板の障子紙の張替えの両方の家事から解放され、主婦の生活の利便性を向上させることができる。
【００１１】
本実用新案のこのような作用及び他の利得は次に説明する実施形態から明らかにされる。
【図面の簡単な説明】
【００１２】
【図１】第１実施形態に係るカーテンを概念的に示した外観斜視図である。
【図２】第１実施形態に係る紙製のシートと吊り下げ部とが固定される様子を示した外観斜視図（図２（ａ））及び断面図（図２（ｂ））である。
【図３】第１実施形態に係る孔と補強部とを示した紙製のシートの平面図、即ち、Ｙ−Ｚ平面図である。
【図４】第２実施形態に係る吊り下げ部を構成する第１部材及び第２部材の平面図（図４（ａ）及び図４（ｂ））である。
【図５】第２実施形態に係る孔を示した紙製のシートの平面図である。
【図６】第３実施形態に係る紙製のシートと吊り下げ部とが固定される様子を示した断面図（図６（ａ））、及び、２つの吊り下げ部が２列のカーテンレールの夫々係合される様子を示した外観斜視図（図６（ｂ））である。
【図７】第３実施形態に係るカーテンが、２つのカーテンレールに夫々吊り下げられる様子を示した外観斜視図である。
【図８】第４実施形態に係る吊り下げ部１００の断面図（図８（ａ））、及び、紙製のシートの平面図、即ち、Ｙ−Ｚ平面図（図８（ｂ））である。
【考案を実施するための形態】
【００１３】
以下、図面を参照して本考案の好適な実施形態について説明する。但し、この実施形態に記載されている構成部品の寸法、材質、形状、その相対配置などは特に特定的な記載がない限り、この考案の範囲をそれのみに限定する趣旨ではない。
【００１４】
（第１実施形態）
（全体構成）
第１実施形態に係るカーテンについて、図１乃至図３を参照して説明する。ここに、図１は、第１実施形態に係るカーテンを概念的に示した外観斜視図である。尚、図１乃至後述される図８におけるＸ方向は、カーテンの平面の法線方向を示し、Ｙ方向は、カーテンレールが延びる方向を示し、Ｚ方向は、カーテンの高さ方向を示す。
【００１５】
図１に示されるように、第１実施形態に係るカーテン１は、第１部材１０と、第２部材２０と、紙製のシート３０とを備えて構成されている。
第１部材１０は、第２部材２０と連結可能な本体部１０ａと、複数のフック部１０ｂとを備えて構成されている。複数のフック部１０ｂは、カーテンレール４０が延びる方向、即ち、Ｙ方向にカーテンレール４０に沿って移動可能な複数の可動リング４１に夫々引っ掛かる。これにより、複数のフック部１０ｂに一体的に結合されている本体部１０ａは、カーテンレール４０に沿って、移動可能である。
第２部材２０は、第１部材１０と連結されることによって紙製のシート３０を挟む。
紙製のシート３０の上部側、即ち、カーテンレール４０に近い側には、複数の孔３０ａが設けられている。
【００１６】
（一体化構造）
ここで、図２及び図３を参照して、第１部材１０、第２部材２０、及び紙製のシート３０が一体化される構造について説明する。図２は、第１実施形態に係る紙製のシートと吊り下げ部とが固定される様子を示した外観斜視図（図２（ａ））及び断面図（図２（ｂ））である。図３は、第１実施形態に係る孔と補強部とを示した紙製のシートの平面図、即ち、Ｙ−Ｚ平面図である。
【００１７】
図２（ａ）に示されるように、第１部材１０は、本体部１０ａ、フック部１０ｂ、及び凸部１０ｃを備えて構成されている。
図２（ａ）に示されるように、第２部材２０は、凸部１０ｃと連結可能な凹部２０ａを備えて構成されている。
図２（ａ）及び図２（ｂ）に示されるように、第１部材１０の凸部１０ｃを、紙製のシート３０の孔３０ａを通過させた後で、この第１部材１０の凸部１０ｃを第２部材２０の凹部２０ａに挿入する。このような第１部材１０と第２部材２０との連結により、紙製のシート３０が、第１部材１０と第２部材２０とに挟まれると共に、第１部材１０と第２部材２０とで挟まれる隙間において、紙製のシート３０の孔３０ａを介して、第１部材１０の凸部１０ｃに吊り下げられる。
【００１８】
紙製のシート３０は、第１部材１０の凸部１０ｃに吊り下げられるので、図３に示されるように、紙製のシート３０の孔３０ａの周辺には、例えば厚紙等の補強材が貼られたりすることにより、紙製のシート３０が破れないように補強されてよい。尚、この補強材は、紙製のシート３０の両脇においてＺ方向に延びるように設けられてよい。
【００１９】
尚、本考案に係る「吊り下げ部」の一例が、第１部材１０及び第２部材２０によって構成されている。また、本考案に係る「紙製のシート」の一例が、紙製のシート３０によって構成されている。また、本考案に係る「フック部」の一例が、フック部１０ｂによって構成されている。また、本考案に係る「保持部」の一例が、本体部１０ａ、凸部１０ｃ、第２部材２０、及び、凹部２０ａによって構成されている。また、本考案に係る「複数の孔」の一例が、複数の孔３０ａによって構成されている。
【００２０】
（第２実施形態）
（全体構成）
第２実施形態に係るカーテンについて、図４及び図５を参照して説明する。ここに、図４は、第２実施形態に係る第１部材及び第２部材の平面図、即ち、Ｙ−Ｚ平面図（図４（ａ）及び図４（ｂ））である。図５は、第２実施形態に係る紙製のシートの平面図、即ち、Ｙ−Ｚ平面図である。尚、第２実施形態において、上述した第１実施形態と概ね同様な構成には同一の符号番号を付し、それらの説明は適宜省略する。
【００２１】
第２実施形態に係るカーテン１は、図４（ａ）に示される第１部材５０と、図４（ｂ）に示される第２部材６０と、図５に示される紙製のシート７０とを備えて構成されている。
図４（ａ）に示されるように、第１部材５０は、上部５１ａ、下部５２ａ、連結部５３、及び、複数のフック部１０ｂを備え、一体的に結合して構成されている。
図４（ｂ）に示されるように、第２部材６０は、上部６１ａ、下部６２ａ、及び、連結部６３を備え、一体的に結合して構成されている。
【００２２】
紙製のシート７０の上部側、即ち、カーテンレール４０に近い側には、複数の孔７０ａが設けられていると共に、紙製のシート７０の下部側、即ち、床に近い側には、複数の孔７０ｃが設けられている。
【００２３】
第１部材５０に設けられた凸部５１ｃ、５２ｃが、第２部材６０に設けられた凹部６１ｃ、６２ｃに夫々挿入され、第１部材５０と第２部材６０とが連結されることによって、両者の間に紙製のシート７０を挟み、紙製のシート７０を重力に対して保持することができる。
【００２４】
尚、本考案に係る「保持部」の「第１部材」の一例が、第１部材５０によって構成されている。加えて、本考案に係る「保持部」の「第２部材」の一例が、第２部材６０によって構成されている。また、本考案に係る「紙製のシート」の他の例が、紙製のシート７０によって構成されている。また、本考案に係る「複数の孔」の一例が、複数の孔３０ａによって構成されている。
【００２５】
尚、第２実施形態の変形例としては、上述した第２実施形態の構成に加えて、連結部５３においても凸部が設けられると共に連結部６３においても凹部が設けられ、連結部５３の凸部が連結部６３の凹部に挿入されてよい。これにより、紙製のシート７０を重力に対してより強固に保持することができる。
【００２６】
或いは、第２実施形態では、第２部材６０において、連結部６３を省略する構成であってよい。これにより、第２部材６０として、上部６１ａと下部６２ａとを区別することなく製造することができるので、部品点数を低減させ、製造工程を簡便化することができる。
【００２７】
（第３実施形態）
（全体構成）
第３実施形態に係るカーテンについて、図６及び図７を参照して説明する。ここに、図６は、第３実施形態に係る紙製のシートと吊り下げ部とが固定される様子を示した外観斜視図（図６（ａ））及び断面図（図６（ｂ））である。図７は、第３実施形態に係るカーテン、２個が、２つのカーテンレールに夫々吊り下げられる様子を示した外観斜視図である。
【００２８】
図６（ａ）に示されるように、第３実施形態に係るカーテン１は、第１部材８０と、第２部材９０と、紙製のシート３０とを備えて構成されている。
第１部材８０は、第２部材９０と連結可能な本体部８０ａと、複数のフック部１０ｂとを備えて構成されている。複数のフック部１０ｂは、カーテンレール４０が延びる方向、即ち、Ｙ方向にカーテンレール４０に沿って移動可能な複数の可動リング４１に夫々引っ掛かる。これにより、複数のフック部１０ｂに一体的に結合されている本体部８０ａは、カーテンレール４０に沿って、移動可能である。
第２部材９０は、第１部材８０と連結されることによって紙製のシート３０を挟む。
【００２９】
上述したように、紙製のシート３０の上部側、即ち、カーテンレール４０に近い側には、複数の孔３０ａが設けられている。
【００３０】
第１部材８０と、第２部材９０と、紙製のシート３０との連結について具体的には、図６（ｂ）に示されるように、第１部材８０の凸部８０ｃを、紙製のシート３０の孔３０ａを通過させた後で、この第１部材８０の凸部８０ｃを第２部材９０の凹部８０ａに挿入する。このような第１部材８０と第２部材９０との連結により、紙製のシート３０が、第１部材８０と第２部材９０とに挟まれると共に、第１部材８０と第２部材９０とで挟まれる隙間において、紙製のシート３０の孔３０ａを介して、第１部材８０の凸部８０ｃに吊り下げられる。
【００３１】
特に、図６（ｂ）及び図７に示されるように、Ｘ方向（即ち、紙製のシート３０の法線方向）に沿ったカーテン１の厚さｄを、カーテンレール４０とカーテンレール４５との間隔Ｌより小さくしてよい。これにより、カーテン１、２を、カーテンレール４０及びカーテンレール４５に、可動リング４１及び４６の夫々を介して、夫々係合させた場合に、カーテンレール４０に沿ったカーテン１の移動を妨げることなく、カーテン２をカーテンレール４５に沿って移動させることができる。
【００３２】
（第４実施形態）
（全体構成）
第４実施形態に係るカーテンについて、図８を参照して説明する。ここに、図８は、第４実施形態に係る吊り下げ部１００の断面図（図８（ａ））、及び、紙製のシートの平面図、即ち、Ｙ−Ｚ平面図（図８（ｂ））である。
【００３３】
図８（ａ）に示されるように、第４実施形態に係るカーテン１は、吊り下げ部１００と、フック部１０ｂと、紙製のシート３００とを備えて構成されている。
【００３４】
吊り下げ部１００は、部材１００ａと部材１００ｂとが支点１００ｄを介して可動に連結して構成されている。部材１００ａと部材１００ｂとの間には、部材１００ａと部材１００ｂとを引き付ける力を付与するバネ等の弾性体１００ｃが設けられている。
これにより、吊り下げ部１００は、弾性体１００ｃの弾性力によって、紙製のシート３００を挟んで保持することができる。
【００３５】
紙製のシート３００は、吊り下げ部１００に吊り下げられるので、図８（ｂ）に示されるように、紙製のシート３００の上部には、例えば厚紙等の補強材が貼られたりすることにより、紙製のシート３００が破れないように補強されてよい。尚、この補強材は、紙製のシート３００の両脇においてＺ方向に延びるように設けられてよい。
【００３６】
本実用新案は、上述した実施形態に限られるものではなく、実用新案登録請求の範囲及び明細書全体から読み取れる考案の要旨或いは思想に反しない範囲で適宜変更可能であり、そのような変更を伴うカーテンもまた本実用新案の技術的範囲に含まれるものである。
【産業上の利用可能性】
【００３７】
本考案は、例えば日除け用の紙製カーテン等のカーテンに利用可能である。
【符号の説明】
【００３８】
１  カーテン
１０  第１部材
１０ａ  本体部
１０ｂ  フック部
１０ｃ  凸部
２０  第２部材
２０ａ  凹部
３０  紙製のシート
３０ａ  孔
３０ｂ  補強材
４０  カーテンレール
４１  可動リング
４５  カーテンレール
４６  可動リング
５０  第１部材
５１ａ  上部
５１ｂ  フック部
５１ｃ  凸部
５２ａ  下部
５２ｃ  凸部
５３  連結部
６０  第２部材
６１ａ  上部
６１ｃ  凹部
６２ａ  下部
６２ｃ  凹部
６３  連結部
７０  紙
７０ａ  孔
７０ｃ  孔
８０  第１部材
８０ａ  本体部
８０ｃ  凸部
８１  第１部材
８１ａ  本体部
９０  第２部材
９０ａ  凹部
９１  第２部材
１００  吊り下げ部
１００ａ  部材
１００ｂ  部材
１００ｃ  弾性体
１００ｄ  支点部
３００  紙製のシート
３００ｂ  補強材
【図１】
0003165315.tif 000003
【図２】
0003165315.tif 000004
【図３】
0003165315.tif 000005
【図４】
0003165315.tif 000006
【図５】
0003165315.tif 000007
【図６】
0003165315.tif 000008
【図７】
0003165315.tif 000009
【図８】
0003165315.tif 000010